(57)【要約】【課題】デジタル放送を受信するモジュールが操作入力を受け付けるメインモジュールと別々に構成されている放送受信装置で、操作性を向上させる。【解決手段】  ＤＶＤレコーダはメインモジュール、デジタルモジュールを備える。メインモジュールは、アナログチューナ、制御部、リモコン等を備える。デジタルモジュールは地上デジタルモジュール（チャンネル制御部を含む）、デジタルコンテンツ処理部（以下「処理部」という）等を備える。処理部は、プログラムをダウンロードして実行する。制御部は、デジタルモジュールが動作中であると判断すると（ＳＴ２のＹＥＳ）、数字キーコマンドをチャンネル制御部に送信する（ＳＴ３）。処理部が数字キーを使用していない場合には（ＳＴ１３のＮＯ）、チャンネル制御部は、数字キーを制御部に返信し（ＳＴ１４）、制御部は数字キーで指定されたチャンネル番号をアナログチューナに直接指定する（ＳＴ５）。【選択図】図２
2008306414.tif 000002
【特許請求の範囲】
【請求項１】
デジタル放送を受信するデジタル放送受信部と、デジタルコンテンツを実行するデジタルコンテンツ処理部と、を備え、前記デジタル放送の受信または前記デジタルコンテンツの実行を含む第１の機能を動作させるデジタルモジュールと、
数字キーを含む複数の操作子から入力を受け付ける操作部と、所定の１以上の第２の機能を動作させる処理部と、を備えるメインモジュールと、
前記デジタルモジュールと、前記メインモジュールが相互に送受信する放送受信装置において、
前記操作部が前記デジタルコンテンツ処理部で使用するキー操作を受け付けた場合には、メインモジュールが前記第１の機能が動作しているかどうか判断し、前記第１の機能が動作しているという第１の判断をしたときは、前記操作部が受け付けた入力をデジタルモジュールに送信し、以下のいずれかの動作を行う放送受信装置。
（Ａ）前記デジタルモジュールは、前記デジタルコンテンツ処理部が前記デジタルコンテンツを実行していない状態で、かつ、前記メインモジュールから送信された入力が前記デジタル放送を受信するチャンネル番号でもない、という第２の判断をした場合には、メインモジュールに前記第２の判断をした旨の信号、または、前記メインモジュールから送信された入力を返信し、前記メインモジュールは、前記第２の機能のいずれかを動作させ、
（Ｂ）前記デジタルモジュールは、前記デジタルコンテンツ処理部が前記デジタルコンテンツを実行している、または、前記メインモジュールから送信された入力が前記デジタル放送を受信するチャンネル番号である、のいずれかであるという第３の判断した場合には、前記デジタルモジュールは、前記第１の機能のいずれかを動作させる。
【請求項２】
前記メインモジュールの処理部の１つは、アナログ放送を受信するアナログ放送受信部であり、前記第２の機能として、前記アナログ放送を受信し、
（Ａ’）前記デジタルモジュールは、前記操作部が前記数字入力を受け付けた場合に前記第２の判断をした場合には、メインモジュールに、前記第２の判断をした旨の信号、または、前記メインモジュールから送信された入力を返信し、前記メインモジュールは、前記数字入力に対応するアナログ放送を受信する請求項１に記載の放送受信装置。
【請求項３】
前記メインモジュールの処理部の１つは、番組情報または装置本体の状態を表わすＯＳＤ（On-Screen Display）を出力するＯＳＤ出力部であり、前記第２の機能として、前記ＯＳＤを出力し、
前記操作部は、前記入力として、所定の設定の承諾または決定をするための決定キーの操作入力を受け付け、
（Ａ’’）前記デジタルモジュールは、前記第２の判断をした場合には、メインモジュールにその旨の信号、または、前記メインモジュールから送信された入力を返信し、前記メインモジュールは、前記メインモジュールの処理部が承諾または決定の入力を要求していない場合に、前記ＯＳＤ出力部を用いて、放送番組一覧のＯＳＤを出力する請求項１または２に記載の放送受信装置。
【請求項４】
前記メインモジュールの処理部の１つは、映像信号を記録する録画部であり、前記第２の機能として、映像信号を記録する機能を動作させ、
前記操作部が前記デジタルコンテンツ処理部で使用する指示を受けるために使用するキー操作を受け付けた場合には前記メインモジュールが前記第２の機能が動作しているかどうか判断し、
前記デジタルモジュールが前記第２の判断をした場合には、前記メインモジュールは、前記第２の機能として、映像信号を記録するための動作を行う請求項１に記載の放送受信装置。
【発明の詳細な説明】
【技術分野】
【０００１】
本発明は、アナログ放送、デジタル放送を受信して、操作部の数字入力されたチャンネルを直接選局する放送受信装置に関し、特に、デジタル放送を受信するモジュールが、操作入力を受け付けるメインモジュールと別々に構成されている放送受信装置に関する。
【背景技術】
【０００２】
従来より、放送を受信するチューナ（放送受信装置）やチューナを内蔵したＤＶＤレコーダが実用化されている。また、デジタル放送には、ゲームなどのデジタルコンテンツ（データ放送）が送信されている場合があり、受信したコンテンツを実行するチューナが実用化されている。
【０００３】
設計上の役割分担の都合から、ＤＶＤレコーダをデジタル放送関係の処理を行うデジタルモジュールと、操作入力を受けて録画、装置本体の各種の設定等の処理を行うメインモジュールと、を別々のモジュールで構成することが行われている。
【０００４】
ここで、メインモジュールは、アナログ放送を受信するアナログ放送受信部を備えている。一方、デジタルモジュールは、デジタル放送を受信するデジタル放送受信部、デジタルコンテンツを実行するデジタルコンテンツブロックを備えている。デジタルコンテンツブロックは、データ放送をダウンロードして、デジタルコンテンツを実行する。デジタルコンテンツブロックは、デジタルコンテンツを実行している間、デジタルコンテンツの進行に伴って、リモコンから数字キーを含む所定のキー操作を受け付ける。このキー操作の入力は、直接的にはメインモジュールがリモコンの信号を受信することにより行われ、デジタルモジュールに転送される。
【０００５】
このようにメインモジュールとデジタルモジュールが別々であるため、メインモジュールは、デジタルモジュールがデジタル放送を受信している状態なのか、デジタルコンテンツを実行している状態なのかを判別するのが困難であった。すなわち、デジタルモジュールがチャンネル番号の入力を受け付けている状態か、数字キーをカーソルキー等として使用している状態なのかを判別するのが困難であった。ユーザがそのコンテンツの進行に伴って操作した場合に、放送受信装置がアナログチューナのチャンネルの数字キーの入力と誤ってしまうと、画面が切り替わりコンテンツの進行が中断されることになる不具合が生じる。そこで、従来では、デジタルモジュールが起動している状態で、メインモジュールが管理するアナログ放送を画面に出力するには、いったん、アナログ放送に切り換えるボタン操作の上、アナログ放送のチャンネル番号からの直接選局を受け付けていた。なお、デジタル放送のチャンネル番号からの直接選局をする動作はデジタルモジュール内で完結しており、デジタルモジュールが現在の状態を判断できるから、直接選局が可能であった。
【０００６】
また、特許文献１〜３には、チャンネル操作等に関する開示がある。
【特許文献１】特開２００３−１５３０９７公報
【特許文献２】特開２００３−１５３１４１公報
【特許文献３】特開２００５−３１８５５１公報
【発明の開示】
【発明が解決しようとする課題】
【０００７】
しかしながら、チャンネル番号で直接選局できず、わざわざ、アナログ放送に切り換えるボタン操作をするのはわずらわしく、操作性がよくなかった。
【０００８】
そこで、デジタル放送を受信するモジュールが、操作入力を受け付けるメインモジュールと別々に構成されている放送受信装置において、操作性を向上させることを目的とする。
【課題を解決するための手段】
【０００９】
本発明は、上述の課題を解決するための手段を以下のように構成している。
【００１０】
（１）  デジタル放送を受信するデジタル放送受信部と、デジタルコンテンツを実行するデジタルコンテンツ処理部と、を備え、前記デジタル放送の受信または前記デジタルコンテンツの実行を含む第１の機能を動作させるデジタルモジュールと、
数字キーを含む複数の操作子から入力を受け付ける操作部と、所定の１以上の第２の機能を動作させる処理部と、を備えるメインモジュールと、
前記デジタルモジュールと、前記メインモジュールが相互に送受信する放送受信装置において、
前記操作部が前記デジタルコンテンツ処理部で使用するキー操作を受け付けた場合には、メインモジュールが前記第１の機能が動作しているかどうか判断し、前記第１の機能が動作しているという第１の判断をしたときは、前記操作部が受け付けた入力をデジタルモジュールに送信し、以下のいずれかの動作を行う放送受信装置。
（Ａ）前記デジタルモジュールは、前記デジタルコンテンツ処理部が前記デジタルコンテンツを実行していない状態で、かつ、前記メインモジュールから送信された入力が前記デジタル放送を受信するチャンネル番号でもない、という第２の判断をした場合には、メインモジュールに前記第２の判断をした旨の信号、または、前記メインモジュールから送信された入力を返信し、前記メインモジュールは、前記第２の機能のいずれかを動作させ、
（Ｂ）前記デジタルモジュールは、前記デジタルコンテンツ処理部が前記デジタルコンテンツを実行している、または、前記メインモジュールから送信された入力が前記デジタル放送を受信するチャンネル番号である、のいずれかであるという第３の判断した場合には、前記デジタルモジュールは、前記第１の機能のいずれかを動作させる。
【００１１】
この構成では、メインモジュールは、第１の判断をしたときは、操作部で受け付けた入力を、一旦、デジタルコンテンツ処理部送信に送信し、デジタルモジュールは、デジタルコンテンツ処理部がデジタルコンテンツを実行していない場合には、メインモジュール側の第２の機能のいずれかを動作させる。このようにデジタルモジュールは、デジタルコンテンツ処理部が動作しているかを判断し、デジタルコンテンツ処理部が動作していない場合には、メインモジュールにその旨等を返信するから、メインモジュール側、デジタルモジュール側の処理を切換えるために、新たな操作を必要としない。また、放送受信装置が行っている処理（メインモジュール側、デジタルモジュール側）に応じて、複数の機能（第１の機能、第２の機能）を割り当てることができるから、キー操作が単純になる。したがって、放送受信装置のキー操作の操作性を向上させることができる。
【００１２】
なお、（Ｂ）ですでにデジタル放送を受信しているか、デジタルコンテンツを実行している場合に、前記第１の動作として前記デジタルコンテンツを実行する場合には、それぞれ、操作子からの入力に対応する、デジタル放送の受信またはデジタルコンテンツの動作を行う。
【００１３】
（２）  前記メインモジュールの処理部の１つは、アナログ放送を受信するアナログ放送受信部であり、前記第２の機能として、前記アナログ放送を受信し、
（Ａ’）前記デジタルモジュールは、前記操作部が前記数字入力を受け付けた場合に前記第２の判断をした場合には、メインモジュールに、前記第２の判断をした旨の信号、または、前記メインモジュールから送信された入力を返信し、前記メインモジュールは、前記数字入力に対応するアナログ放送を受信する。
【００１４】
この構成では、第２の機能としてアナログ放送を受信する。前記（Ａ’）の処理により、デジタルコンテンツ処理部が動作していない場合には、メインモジュールにその旨等を返信する、したがって、メインモジュール側、デジタルモジュール側の処理を切換えるためには、チャンネルの番号を入力するだけでよい。よって、ユーザは、新たな操作を必要とせずとも、デジタルモジュールが動作している状態から、直接番号を入力することで、アナログテレビを受信することができる。
【００１５】
なお、「メインモジュールの処理部」は、１つでもよい。
【００１６】
（３）  前記メインモジュールの処理部の１つは、番組情報または装置本体の状態を表わすＯＳＤ（On-Screen Display）を出力するＯＳＤ出力部であり、前記第２の機能として、前記ＯＳＤを出力し、
前記操作部は、前記入力として、所定の設定の承諾または決定をするための決定キーの操作入力を受け付け、
（Ａ’’）前記デジタルモジュールは、前記第２の判断をした場合には、メインモジュールにその旨の信号、または、前記メインモジュールから送信された入力を返信し、前記メインモジュールは、前記メインモジュールの処理部が承諾または決定の入力を要求していない場合に、前記第２の機能として前記ＯＳＤ出力部を用いて、放送番組一覧のＯＳＤを出力する。
【００１７】
この構成では、決定キーは、デジタルモジュール側の処理として、デジタルコンテンツ処理部で用いる承諾または決定の操作に用いる。メインモジュール側では、放送番組の一覧表示を指示するキーとして用いる。ここで、デジタルコンテンツ処理部で用いる承諾または決定の操作は、例えばダウンロードしたプログラムで使用する。また、メインモジュール側では、決定キーを放送番組の一覧表示として用いる。したがって、デジタルコンテンツ処理部で使用されておらず、メインモジュールの処理部で承諾を求めていない場合に、応じて使用されていないキーを有効活用できる。したがって、放送受信装置が行っている処理に応じて、複数の機能（第１の機能、第２の機能）を割り当てることができるから、キー操作が単純になる。したがって、放送受信装置のキー操作の操作性を向上させることができる。
【００１８】
（４）  前記メインモジュールの処理部の１つは、映像信号を記録する録画部であり、前記第２の機能として、映像信号を記録する機能を動作させ、
前記操作部が前記デジタルコンテンツ処理部で使用するキー操作を受け付けた場合には前記メインモジュールが前記第２の機能が動作しているかどうか判断し、
前記デジタルモジュールが前記第２の判断をした場合には、前記メインモジュールは、前記第２の機能として、映像信号を記録するための動作を行う。
【００１９】
この構成では、デジタルモジュールが前記第２の判断をした場合には、メインモジュールは、第２の機能として、映像信号を記録するための動作を行う。したがって、デジタルコンテンツ処理部で操作子が使用していない場合には、デジタルモジュールのデジタルコンテンツ処理部が使用する動作に用いる操作子と、メインモジュールの録画部が録画の指示を受けるために使用する操作子とを兼ね備えることができる。
【発明の効果】
【００２０】
本発明の放送受信装置によれば、操作性を向上させることができる。また、操作キーの数を減らすことができ、これによっても、操作性を向上させることができる。
【発明を実施するための最良の形態】
【００２１】
図１を用いて、本実施形態のＤＶＤレコーダ１の構成について説明する。ＤＶＤレコーダ１は、デジタル放送を受信して、受信した番組を録画する録画装置である。なお、図１中、点線の矢印は音声信号の流れを、２点鎖線の矢印は映像信号の流れを、実線の矢印はデータの流れ、破線は主な制御信号の流れを表わしている。
【００２２】
ＤＶＤレコーダ１は、受信モジュール２と、メインモジュール１０とを備える。またＤＶＤレコーダ１の外部に、アンテナ１０１、表示器１０２を備える。
【００２３】
アンテナ１０１は、電波を受信する。受信モジュール２は、チューナパック２１、地上デジタルモジュール２２、テレビデコーダ２５、システムデコーダ２６、デジタルコンテンツ処理部２７を備えている。
【００２４】
チューナパック２１は、ＩＦフィルタと、ＩＦアンプ、復調回路、誤り訂正回路を備えている。ＩＦフィルタ（intermediate frequency）はチャンネル制御部２３から指示された所定の物理チャンネルの信号を通す。ＩＦアンプは、この信号を増幅する。以上の構成により、チューナパック２１は、指定されたチャンネルの放送信号を抽出し、地上デジタルモジュール２２に出力する。復調回路は、入力された放送信号をＯＦＤＭ（Orthogonal Frequency Division Multiplexing）復調して、デジタルデータであるＴＳ（トランスポートストリーム）を誤り訂正回路に出力する。誤り訂正回路はＴＳ（トランスポートストリーム）の誤り情報を訂正して、誤り訂正したＴＳを地上デジタルモジュール２２に出力する。
【００２５】
地上デジタルモジュール２２は、マルチプレクサ、バッファメモリを備えている。
【００２６】
ＴＳには複数の仮想チャンネルの番組が多重化されて送信されている。デマルチプレクサは、これらの仮想チャンネルのうちの１チャンネルのパケットを抽出して、抽出したパケットに格納されているデータをバッファメモリに記憶させるとともに、チャンネル番号の情報を制御部７に出力する。
【００２７】
また、ＴＳには、ＰＳＩ(Program Specific Information、番組特定情報)またはＳＩ（Service Information）のパケットが含まれている（以下、ＰＳＩ／ＳＩと表記する）。デマルチプレクサは、ＴＳからＰＳＩ／ＳＩを分離して、バッファメモリは、これを記憶する。
【００２８】
チャンネル制御部２３は、マイコンで構成してもよいし、マイコン、地上デジタルモジュール２２、ＴＶデコーダ２５の機能部を含むシステムＩＣで構成してもよい。チャンネル制御部２３のマイコン内部には、ＲＯＭ７２、図示しないＣＰＵ、ＲＡＭを備える。ＲＯＭ７２は、キー入力処理２３５その他の処理を行うサブルーチンを記憶している。
【００２９】
キー入力処理２３５では、チンネル制御部２３は、制御部７を介して送信されたキー入力の信号に基づいて、デジタルモジュール２内部を制御する。キー入力処理２３５には、数字入力処理、決定入力処理を含んでいる。制御部７は、数字入力処理、決定入力処理は、それぞれリモコン受光部８の数字キー８４、決定キー８４の入力を受けたときに実行する。
【００３０】
また、チャンネルテーブルを記憶するフラッシュメモリ（不図示）をチャンネル制御部２３内部または外部にアクセス可能に備えている。チャンネルテーブルには、仮想チャンネルと物理チャンネルの対応が記述されている。チャンネル制御部２３は、制御部７から所定の仮想チャンネルへの切換の指示を受けると、チューナパック２１に所定の物理チャンネルを選択するよう指示する。
【００３１】
ＴＶデコーダ２５は、チューナ２１内のバッファメモリが記憶するデータを適宜読み出す。そして、読み出したデータから映像データと音声データとを分離する。また、ＴＶデコーダ２５は、映像データと音声データを伸長し、出力する。
【００３２】
システムデコーダ２６は、デマルチプレクサが分離したＰＳＩ／ＳＩのパケットをデコードする。ＰＳＩ／ＳＩの中には、ＥＩＴ(EventInformation Table)が含まれている。ＥＩＴには、番組の名称や放送日時、放送内容、視聴制限情報など、番組に関連する情報が含まれる。システムデコーダ２６は、ＥＩＴの情報を制御部７に出力し、制御部７の指示を受けて、文字放送、デジタルコンテンツのパケットを選択し、デジタルコンテンツ処理部２７に出力する。デジタルコンテンツ処理部２７は、図示しないＲＡＭを内部または外部にアクセス可能に備えており、システムデコーダ２６を介してコンテンツをダウンロードする。デジタルコンテンツは、例えばゲームや文字放送である。デジタルコンテンツ処理部２７は、ダウンロードしたコンテンツを実行する。
【００３３】
メインモジュール１０は、録画部３、Ｄ／Ａ変換器６１、６２と、ＯＳＤ（オンスクリーンディスプレイ）合成部５、Ｄ／Ａ変換器６１，６２、制御部７、リモコン受光部８、リモコン８０を備える。
【００３４】
録画部３は、記録媒体（ＤＶＤ，ハードディスク）にアクセスして、データを記録する構成を備えており、アナログチューナ４、ＴＶデコーダ２５、デジタルコンテンツ処理部２７から出力された映像信号、音声信号を記録する。アナログチューナ４は、アナログチューナ４は、マイコン（不図示）と、チャンネルテーブルを記憶するフラッシュメモリ（不図示）、同調回路等を備える。アナログチューナ４は、アナログ放送を受信し、その映像信号、音声信号をＡ/Ｄ変換して録画部３、ＯＳＤ合成部５に出力する。チャンネルテーブルは、仮想チャンネルと物理チャンネルとの関係が記述されている。アナログチューナ４は、制御部７から指示された仮想チャンネルに対応する番号を選局する。
【００３５】
ＯＳＤ（On-Screen Display）合成部５は、ＤＶＤレコーダ１の各種設定を表示するための文字図形の映像信号を出力する。ＯＳＤ合成部５は、ＯＳＤ画像メモリを備えており、制御部７、チューナ制御部２３（放送受信時）から与えられる制御信号に基づいて、このＯＳＤ画像メモリが記憶している文字又は図形の映像信号を生成し、出力する。また、ＴＶデコーダ２５または録画部３内のデコーダから映像信号が出力されている場合には、ＯＳＤ合成部５は、この映像信号を合成する。
例えば、ＯＳＤ合成部５は、受信モジュール２が受信している放送番組を表示しているときは、チャンネル情報を表す映像信号を生成する。
【００３６】
Ｄ／Ａ変換部６１は、ＯＳＤ合成部５から出力した映像信号をアナログの映像信号に変換し、外部の表示器１０２（テレビジョン受像機受像機等）に出力する。Ｄ／Ａ変換部６２は、ＴＶデコーダ２５から出力された音声信号をアナログの音声信号に変換し、スピーカ１０３に出力する。
【００３７】
制御部７は、マイコンで構成し、制御部７内のサブルーチンを格納するＲＯＭ７２、各種のサブルーチンを実行するＣＰＵ（不図示）、制御部７の計算結果を一時的に記憶するＲＡＭ（不図示）を備える。制御部７は、サブルーチンを実行することにより各部を制御する。制御部７は、受信モジュール２の処理以外の各種の処理を行う。
【００３８】
ＲＯＭ７２は、キー入力処理７２０、番組一覧表示処理７２１、図示しない初期設定処理、録画処理を行うための各種のサブルーチンを記憶している。キー入力処理７２０において、制御部７は、リモコン８０から入力された各種の操作入力に対応する処理を行う。キー入力処理７２０には、数字キー入力処理、決定キー入力処理を含む。数字キー入力処理は、リモコン８０の数字キー８４が押されたときに行う処理である。
【００３９】
また、制御部７は、以上であげた処理以外にも録画部３の制御、リモコン受光部８の制御などの処理を行うサブルーチン（不図示）をＲＯＭ７２内に記憶している。
【００４０】
リモコン受光部８はリモコン８０からの赤外信号を受け付ける。リモコン受光部８は、制御部７を操作するための制御入力を受け付ける。ＤＶＤレコーダ１またはリモコンの操作子が押下げられると、所定の制御入力が制御部７に入力される。
【００４１】
リモコン８０は、チャンネルアップ／ダウンキー８１、決定キー８３、数字キー８４を含む複数の操作子を備えている。チャンネルアップ／ダウンキー８１が押されたときは、チャンネル番号のインクリメントまたはデクリメントを行うための入力を受け付ける。
【００４２】
数字キー８４は、チャンネルをインクリメント等するのではなく、直接、所定のチャンネル番号の選択を受け付ける。なお、チャンネル番号が複数桁のときは、数字キー８４を連続して入力したものをチャンネル番号ということにする。数字キー８４が押されると、リモコン受光部８を介して、制御部７に制御信号が入力される。制御部７は、リモコン８０で指示された数字の仮想チャンネルをチャンネル制御部２３に指示する。また、数字キー８４チャンネル番号の入力のみならず、ＤＶＤレコーダ１の動作に応じて複数の機能が割り当てられている。決定キー８３も、同様にＤＶＤレコーダ１の動作に応じて複数の機能が割り当てられている。
【００４３】
以下、数字キー８４、決定キー８３が押された場合の処理について説明する。
【００４４】
主にメインモジュール１０が動作しているときは、録画部３、アナログチューナ４、初期設定処理のいずれかが動作している（これらの動作のいずれかは、本発明の「第２の動作」に相当する。）。このうち、録画部３が主に動作しているときは、数字キー８４、決定キー８３が押されると、制御部７は、これに応じて各種の録画予約、録画開始、停止などの録画処理を行う。また、アナログチューナ４が動作しているときは、数字キー８４、決定キー８３が押されると、アナログ放送の選局を行う。初期設定処理のサブルーチンが動作しているときは、制御部７は、ＤＶＤレコーダ１の初期設定のための所定のＯＳＤが出力されるようキャラクタコードなどをＯＳＤ合成部５に出力する。そして、出力しているＯＳＤに応じて、種々の設定の選択や決定を受け付ける。
【００４５】
主にデジタルモジュール２が動作しているときは、ＴＶデコーダ２５からデジタル放送の映像信号が出力されているか、デジタルコンテンツ処理部２７からゲームなどのコンテンツが出力されている（これらの動作のいずれかは、本発明の「第１の動作」に相当する。）。ＴＶデコーダ２５からデジタル放送の映像信号が出力されているときは、数字キー８４が押されるとチャンネル選局がされる。また、デジタルコンテンツ処理部２７が動作しているときは、そのコンテンツの進行に伴って、所定のキー操作を受ける。決定キー８３、数字キー８４がどのように使用されるかは、コンテンツによって異なる。
【００４６】
ここで、制御部７は、現在、主にメインモジュール１０の機能が動作しているのか、主としてデジタルモジュール２が動作しているのかは把握でき、かつ、デジタルコンテンツ処理部２７側の動作から、制御部７の動作、例えば、アナログチューナ４の出力へ切り換えることができる。しかし、デジタルコンテンツ処理部２７が動作しているかどうかは、制御部７側からはデジタルモジュール２と通信してみなければ把握するのは容易でない。ユーザがそのコンテンツの進行に伴って操作した場合に、アナログチューナ４のチャンネルの数字キー８４の入力と誤ってしまうと、コンテンツの進行が中断されることになる。そこで、本実施形態のＤＶＤレコーダ１は、以下の図２のフローにより、デジタルモジュール２が動作している間にアナログチューナ４のチャンネル番号の直接入力を可能にする。
【００４７】
次に図２のフロー図を用いて、数字キー８４が押された場合の処理について説明する。図２の左側が制御部７の処理、右側がチャンネル制御部２３の処理である。
ＳＴ１で、リモコン８０から数字キー８４の操作入力を受ける。ＳＴ２で、制御部７は、デジタルモジュール２が動作中であるかどうか判断する。デジタルモジュール２が動作中であれば（ＳＴ２のＹＥＳ）、ＳＴ３で、デジタルモジュール２に対し数字キーコマンドの送信を行う。デジタルモジュール２が動作中でなければ（ＳＴ２のＮＯ）、ＳＴ５に移動して、数字キー８４の入力をアナログ放送のチャンネルの直接入力として、アナログチューナ４に出力する。アナログチューナ４は、入力した数字をチャンネル番号として認識し、チャンネル番号に対応する物理チャンネルを選局する。
【００４８】
ＳＴ１１では、メインモジュール１０から数字キーの入力を受ける。ＳＴ１２で、デジタルコンテンツ処理部２７は、デジタルコンテンツの処理を実行する。
ＳＴ１３で、チャンネル制御部２３は、デジタルコンテンツで数字キー８４を使用されるのか判断する。デジタルコンテンツで数字キー８４が使用される場合には（ＳＴ１３のＹＥＳ）、デジタルコンテンツ処理部２７は、デジタルコンテンツで、数字キーの入力に基づいて処理する。その後、図２のフローは終了する。デジタルコンテンツで数字キー８４が使用されない場合には（ＳＴ１３のＮＯ）、ＳＴ１４で、数字キー８４で入力した数字をメインモジュール１０に返信する。  このＳＴ１４のフローに分岐するときは、デジタルコンテンツが数字キーを受け付けていない状態である。したがって、デジタルコンテンツ処理部２７が、入力された数字キーに基づいて動作することはないから、制御部７がアナログチャンネルの選局をしても問題が生じない。ＳＴ１４では、数字キーを返信することにより、制御部７が選局をしても問題が生じない旨を制御部７に返信する。ＳＴ１４の後、制御部７のキー入力処理７２０に戻る。
【００４９】
ＳＴ４で、デジタルモジュール２から返信データの受信を行う。ＳＴ５で、制御部７は、アナログチューナ４にアナログチャンネルの番号の直接指定を行う。これにより、アナログチューナ４は、指定された番号に対応するチャンネルを選局する。
【００５０】
次に、図３、図４を用いて、決定キー８３の操作入力を受けた場合の処理について説明する。図３は、所定のタイミングで、決定キー８３の操作入力を受けた場合に表示する番組一覧表示処理７２１の表示例を示している。決定キー８３は、本来、所定の設定の承諾または決定をするキーであるが、このような承諾等を受け入れる状態でないときに、制御部７は、番組一覧表示処理７２１を行う。例えば、アナログチューナ４がアナログ放送の映像信号を表示器１０２に出力しているとき、または、デジタルコンテンツ処理部２７が決定キー８３を使用していないときである。図３に示すように、チャンネルテーブルに登録されているチャンネルを表示する。このとき、制御部７は、リモコン８０からリモコン受光部８を介して入力を受け付けた場合に、登録されている番組の選択を行う。この選択画面では、ユーザがチャンネルを選択しやすいようにチャンネルの情報、例えば、デジタル／アナログ放送のいずれか、放送局名称、放送番組、放送時間のいずれかを表示するのが望ましい。この放送番組の情報は、前述したように、ＥＩＴから取得することができる。また、アナログ放送であれば、ＶＢＩ（Vertical Blanking Interval）の間に挿入される文字情報を受信して、放送番組情報を取得できる。
【００５１】
このようにすることで、リモコン８０のキーの操作を兼用でき、操作性を改善できる。
【００５２】
図４は、決定キー８３が押された場合の処理を表わしている。ＳＴ３１〜ＳＴ３４は、ＳＴ１〜ＳＴ４に対応しており、ＳＴ４１〜ＳＴ４５は、ＳＴ２１〜ＳＴ２５に対応しており、動作は略同様である。したがって、ＳＴ３１〜ＳＴ３４、ＳＴ４１〜ＳＴ４５、は、それぞれ、図２のＳＴ１〜ＳＴ４、ＳＴ２１〜ＳＴ２５の説明の「数字キー８４」を「決定キー８３」に読み替えて以上の説明を準用する。以下、ＳＴ３６，ＳＴ３７、ＳＴ３５について順に説明する。
【００５３】
ＳＴ３６は、ＳＴ３２における制御部７の判断で、デジタルモジュールが動作していない場合（ＳＴ３２のＮＯ）に分岐する。ＳＴ３６に分岐する場合、現在、メインモジュール１０が動作しており、メインモジュール１０のアナログチューナ４または初期設定処理が動作している状態である（この状態も、本発明の「第２の機能」が動作している状態に相当する。）。ＳＴ３６で、制御部７が初期設定処理を行っているか判断する。
【００５４】
制御部７が初期設定処理を行っている状態であれば（ＳＴ３６のＹＥＳ）、決定キー８３の本来の機能を発揮させる必要がある。したがって、この場合には、ＳＴ３７で、初期設定処理に沿った入力を受け付ける。一方、制御部７が初期設定処理を行っている状態であれば（ＳＴ３６のＹＥＳ）、決定キー８３の本来の機能（承諾、決定）は使われていない状態である。空いた機能キーを有効に活用するため、この場合は、ＳＴ３５で、図３で示したような放送番組一覧表示処理を行う。
【００５５】
ＳＴ３５の処理は、また、ＳＴ３４の処理を行った場合にも分岐する。ＳＴ３４に分岐する場合は、主にデジタルモジュール２の機能が動作している状態である。具体的には、ＴＶデコーダ２５からデジタル放送番組が表示器１０２に出力されているか、デジタルコンテンツを動作しているが、決定キー８３を使用していない状態である。この状態では、空いた機能キーを有効に活用するため、ＳＴ３５で、制御部７は、放送番組一覧表示処理を行う。
【００５６】
以上の実施形態について補足する。
【００５７】
数字キー８４、決定キー８３は、本発明の「操作子」に相当する。また、数字キー８４による入力は、本発明の「数字入力」に相当し、決定キー８３は、本発明の「決定キー」に相当する。
【００５８】
図２のフローでは、チャンネル番号の桁のそれぞれの数字について通信を行ったが、ＳＴ１４で最初の通信を行った後、２番目以降の数字入力ではチャンネル制御部２３との通信をせずに、ＳＴ１１〜ＳＴ１４をパスして、ＳＴ３からＳＴ４に移動してもよい。
【００５９】
受信モジュール２にも、ＯＳＤ合成部を設けて、放送受信関係のＯＳＤを処理してもよい。また、このＯＳＤ合成部と、地上デジタルモジュール２２、チャンネル制御部２３、ＴＶデコーダ２５を１チップに収めたシステムＩＣで構成してもよい。
【００６０】
また、図４では、決定キー８３を押したときに、ＳＴ３６の初期設定処理をする判断をする場合があるが、図２のフローでも、初期設定処理に番号キーを用いるのであれば、ＳＴ３６、ＳＴ３７と同様の処理を適用できる。
また、図２、図４では、番号キー８４、決定キー８３を用いたが、リモコン８０のほかのキーでも、メインモジュール１０側の処理、デジタルモジュール２側の処理の操作入力を兼用している場合には、図２または図４のフローを適用できる。
図２、図４では、メインモジュール１０の機能（本発明の「第２の機能」に相当する。）として、初期設定処理、アナログチューナ４のアナログ放送の受信処理、番組一覧表示処理を扱った。図２のＳＴ５、図４のＳＴ３５の処理の代わりに、録画部３の録画操作に用いるキー操作の入力を受け付けて、この操作に応じて制御部７が録画操作を実行してもよい。例えば、数字キーで、録画時間、チャンネルを指定する場合なども可能である。
【００６１】
図２、図４の処理は、本発明の実施形態として、独立に適用することができる。また、図１では、種々の機能を記載しているが、本発明の実施形態として図２、図４のフローを用いるのであれば、それぞれ図２、図４で説明しなかった機能を実行するための構成は、必ずしも必要がない。例えば、本発明の実施形態として図２のフローを適用する場合には、図４で用いていても図２で用いていない構成（例えば、放送番組一覧表示処理のサブルーチン）は、必ずしも必要がないし、図２の図４で用いるＯＳＤ合成部５をパスして、映像信号、音声信号をＤ／Ａ変換器６１、６２に入力してもよい。また、本発明の実施形態として図４のフローを適用する場合には、図２で用いていても、図４で用いていない構成（アナログチューナ４）は、必ずしも必要がない。
【図面の簡単な説明】
【００６２】
【図１】第１実施形態のＤＶＤレコーダの構成図
【図２】第１実施形態のＤＶＤレコーダの数字入力処理のフロー図
【図３】第１実施形態のＤＶＤレコーダの放送番組表示処理の表示例
【図４】第１実施形態のＤＶＤレコーダ１の決定キー８３が押された場合の処理を表わすフロー図
【符号の説明】
【００６３】
１−ＤＶＤレコーダ、  １０−メインモジュール、２−デジタルモジュール
２１−チューナパック、  ２２−地上デジタルモジュール、
２３−チャンネル制御部、  ２３１−ＲＯＭ、  ２３５−キー入力処理、
２３６−番組一覧表示処理、  ２５−ＴＶデコーダ、  ２６−システムデコーダ、
２７−デジタルコンテンツ処理部、  ３−録画部、
４−アナログチューナ、  ５−ＯＳＤ合成部、
６１−Ｄ／Ａ変換器、  ６２−Ｄ／Ａ変換器、
７−制御部、  ７２−ＲＯＭ、
７２０−キー入力処理、  ７２１−番組一覧表示処理、
８−リモコン受光部、  ８０−リモコン、
８１−チャンネルアップ／ダウンキー、  ８３−決定キー、  ８４−数字キー、
１０１−アンテナ、  １０２−表示器
【図１】
2008306414.tif 000003
【図２】
2008306414.tif 000004
【図３】
2008306414.tif 000005
【図４】
2008306414.tif 000006